(57)【要約】    【課題】  新しい楽しみをそれを見る者に与えられる形状可変オブジェを提供する。    【解決手段】  形状可変オブジェ１００は、吊下げ状態で使用される場合に鉛直線上に位置する上支持体１１０、及び下支持体１２０を備える。上支持体１１０と下支持体１２０の間には、変形可能であり且つ外側に向かって湾曲した骨材１５０が等間隔で１６本配されている。骨材１５０の周囲には、膜材１６０が張られている。上支持体１１０にはウインチ１１５が設けられ、その先端が下支持体１２０に固定された線状体１１５Ｃを巻き取り、或いは巻き解けるようになっている。これに伴って、形状可変オブジェ１００は、縦長状態から横長状態に変形する。【選択図】  図１
2006051665.tif 000002
【特許請求の範囲】
【請求項１】
縦方向に配される上支持体、及び下支持体と、
前記上支持体及び下支持体にその両端をそれぞれ接続された、曲折可能とされた棒状体である複数本の骨材と、
前記骨材の外側の全面に張られた膜材と、
を備えており、
前記上支持体と前記下支持体とは、その距離が可変となるようにされているとともに、
前記骨材は、前記上支持体と前記下支持体を結ぶ線から見て外側に湾曲しているとともに、前記上支持体と前記下支持体との距離が変化するのに伴ってその湾曲の度合いが変化するようになっている、
形状可変オブジェ。
【請求項２】
前記骨材は、前記上支持体と前記下支持体との距離が変化するのに伴ってその湾曲の度合いが変化する際に、前記骨材の中で前記上支持体と前記下支持体を結ぶ前記線から最も離れている部分の前記線からの距離が変化するようになっている、
請求項１記載の形状可変オブジェ。
【請求項３】
前記膜材の内側には、光源が設けられており、
前記光源が点灯しているとき、前記膜材の外側から、前記膜材を通して前記光源からの光が見えるようになっている、
請求項１又は２記載の形状可変オブジェ。
【請求項４】
前記光源は、点灯時の色を変化させられるようになっており、
且つ前記光源を点灯させるか消灯させるか、及び前記光源の点灯時の色をどのようなものにするかを制御する制御手段を備えてなる、
請求項３記載の形状可変オブジェ。
【請求項５】
前記上支持体を所定の吊下げ材の下方に固定することにより、吊下げた状態で用いるものとされているとともに、
前記上支持体には、その先端が前記下支持体と接続された線状体を巻き取り、或いは巻き解くことのできるウインチが設けられており、
前記ウインチにより前記線状体を巻き取ることで、前記下支持体を前記上支持体に近づけられ、前記ウインチにより前記線状体を巻き解くことで、前記下支持体を前記上支持体から遠ざけられるようになっている、
請求項１〜４のいずれかに記載の形状可変オブジェ。
【請求項６】
前記上支持体と、前記下支持体に、その両端をそれぞれ接続された伸縮自在の棒状体であり、前記上支持体に対して相対的に移動する前記下支持体の移動方向を規制する補強手段を備えてなる、
請求項１〜５のいずれかに記載の形状可変オブジェ。
【請求項７】
前記上支持体と、前記下支持体に、その両端をそれぞれ接続された伸縮自在で中空の棒状体であり、前記上支持体に対して相対的に移動する前記下支持体の移動方向を規制する補強手段を備えてなり、
前記線状体は、前記補強手段の内部に通される、
請求項５記載の形状可変オブジェ。
【請求項８】
前記膜材により仕切られた空間は、その外部の空間と連通させられてなる、
請求項１〜７のいずれかに記載の形状可変オブジェ。
【発明の詳細な説明】
【技術分野】
【０００１】
本発明は、形状可変オブジェに関する。
【背景技術】
【０００２】
オブジェはそれを見る者に一定の楽しみを与えるものであるが、一般的にその形状が固定されている。他方、オブジェがそれを見る者に楽しみを与えるものである以上、その形状に変化が生じるようになっていれば、それを見る者に与える楽しみが大きくなる。実際、例えば、風船状に構成され、その内部に入れる空気の量を変化させることでその形状を変化させるものなど、変形可能なオブジェ（以下、「形状可変オブジェ」という。）が存在する。
【発明の開示】
【発明が解決しようとする課題】
【０００３】
本願発明は、新しい楽しみをそれを見る者に与えられる形状可変オブジェを提供することをその課題とする。
【課題を解決するための手段】
【０００４】
本願発明者は、形状可変オブジェについて研究を重ね、以下のような形状可変オブジェを想到するに至った。
本発明による形状可変オブジェは、縦方向に配される上支持体、及び下支持体と、前記上支持体及び下支持体にその両端をそれぞれ接続された、曲折可能とされた棒状体である複数本の骨材と、前記骨材の外側の全面に張られた膜材と、を備えている。そして、前記上支持体と前記下支持体とは、その距離が可変となるようにされているとともに、前記骨材は、前記上支持体と前記下支持体を結ぶ線から見て外側に湾曲しているとともに、前記上支持体と前記下支持体との距離が変化するのに伴ってその湾曲の度合いが変化するようになっている。
前記骨材は、前記上支持体と前記下支持体との距離が変化するのに伴ってその湾曲の度合いが変化する際に、前記骨材の中で前記上支持体と前記下支持体を結ぶ前記線から最も離れている部分の前記線からの距離が変化するようになっていてもよい。
つまり、本発明による形状可変オブジェは、全体として略紡錘形状のシルエットをしており、且つそのシルエットが縦長から横長なものへと変化するようになっている。
このような形状可変オブジェは、その形状の変化により、それを見る者に楽しみを与えることになる。また、全体として略紡錘形状のシルエットが縦長から横長に変化するような形状可変オブジェは今までなかったので、それを見る者に与える楽しみは、今までになかったものになる。
また、本発明の形状可変オブジェは、その形状を変化させることでその後側への視界を変化させられるものとなる。視界をどのように遮った方がよいのかという事情に合わせて変形させられるという点で、本発明の形状可変オブジェは、単なる装飾を超えた、言ってみれば衝立のような実用性を持つことになる。
【０００５】
本発明の形状可変オブジェは、どのような状態で用いてもよい。例えば、床置きで、或いは吊下げた状態で用いることができる。
形状可変オブジェを吊下げた状態で用いる場合には、前記上支持体を所定の吊下げ材の下方に、直接、或いは他の部品を用いて間接的に固定すればよい。
形状可変オブジェを吊下げた状態で用いる場合には、前記上支持体を、例えば線状体である所定の吊下げ材の下方に、直接、或いは他の部品を用いて間接的に固定すればよい。
吊下げた状態で使用する形状可変オブジェの前記上支持体には、その先端が前記下支持体と接続された線状体を巻き取り、或いは巻き解くことのできるウインチが設けられていてもよい。このようにすれば、前記ウインチにより前記線状体を巻き取ることで、前記下支持体を前記上支持体に近づけられ、前記ウインチにより前記線状体を巻き解くことで、前記下支持体を前記上支持体から遠ざけられるようになる。
もっとも、形状可変オブジェの上支持体と下支持体の距離を変化させるための機構は他の機構によってもよい。
【０００６】
形状可変オブジェは、また、前記上支持体と、前記下支持体に、その両端をそれぞれ接続された伸縮自在の棒状体であり、前記上支持体に対して相対的に移動する前記下支持体の移動方向を規制する補強手段を備えていてもよい。このようにすれば、形状可変オブジェの強度を増すことができ、且つその変形の確実性を増せる。
形状可変オブジェが補強手段を備えている場合、補強手段を中空の棒状体とすることができる。その場合、前記線状体は、前記棒状体とされた補強手段の内部に通されていてもよい。これにより、形状可変オブジェの膜材で仕切られた空間内のスペースを大きく確保できるようになるので、照明機器の設定・取付けの自由度が高まり、また、本体の小型化・軽量化を図ることができるようになるという利点を得られる。
【０００７】
膜材で仕切られた空間の内側は、単なる空洞でもよいが、そこに光源を設けることもできる。そして、その光源が点灯しているとき、前記膜材の外側から、前記膜材を通して前記光源からの光が見えるようにすることができる。このようにすれば、本発明の形状可変オブジェは、光源の点灯により更なる視覚効果を生じるものとなるので、それを見る者に与える楽しさを更に大きくできることになる。
光源はどのようなものでも構わない。例えば、前記光源は、点灯時の色を変化させられるようなものとすることができる。これにより、本発明の形状可変オブジェを見る者に与える楽しさを更に増すことができる。この場合、前記光源を点灯させるか消灯させるか、及び前記光源の点灯時の色をどのようなものにするかを制御する制御手段を設ける。制御手段は、形状可変オブジェの膜材に仕切られた空間の内側にあってもよいし、その外側にあってもよい。
【０００８】
前記膜材により仕切られた空間は、その外部の空間と連通させられていてもよい。形状可変オブジェの形状を変化させると、膜材により仕切られた空間の体積が変化する場合がある。そのような場合に、膜材により仕切られた空間が、その外部の空間と連通させられていれば、その空間内の空気を、その体積の増減に応じて外部の空間との間で出し入れできるので、形状可変オブジェの形状の変化を行い易くなる。
【発明を実施するための最良の形態】
【０００９】
以下、本発明の好ましい一実施形態を、図面を参照しながら説明する。
【００１０】
図１及び図２に、本実施形態による形状可変オブジェ１００の側断面図を、図３に同平面図を示す。
この形状可変オブジェ１００は、後述するように、図１に示す縦長の状態と、図２に示す横長の状態と、及び図示を省略の縦長の状態と横長の状態の間の状態に変形可能となっている。
【００１１】
形状可変オブジェ１００は、上支持体１１０と下支持体１２０を備えている。上支持体１１０と下支持体１２０は、形状可変オブジェ１００が使用されるときに上支持体１１０が下支持体１２０の鉛直方向に位置するような関係にある。
【００１２】
上支持体１１０、及び下支持体１２０はともに、円形の孔１１１Ａ、１２１Ａをその中心に設けられた金属製の板である外円板１１１、１２１を備えている。外円板１１１は形状可変オブジェ１００の最上部に、外円板１２１は形状可変オブジェ１００の最下部にそれぞれ位置している。
外円板１１１、１２１はそれぞれ、金属板により細長い台形に形成された接続板１１２、１２２の一端に接続されている。なお、接続板１１２、１２２は、平面視で９０°の間隔が開くように４枚存在するが、図１及び図２では、紙面に平行な２枚のみを図示している。
接続板１１２、１２２の他端にはそれぞれ、内円板１１３、１２３が取付けられている。内円板１１３は、円形の孔１１３Ａを中心に設けられた金属製の板である。内円板１２３は、円形の板である。内円板１１３、１２３はともに、上述した外円板１１１、１２１よりも一回り小さく形成されている。なお、下側の内円板１２３の上面には、固定用円板１２３Ａが設けられている。固定用円板１２３Ａは、金属製の円板である。
内円板１１３、１２３の縁の対称な位置には、板状の接続金具１１４Ａ、１２４Ａを介して、必ずしもそうである必要はないがこの実施形態では矩形の板状とされたＬＥＤ１１４、１２４が取付けられている。ＬＥＤ１１４、１２４は共に、その外側の面にＲ（赤）Ｇ（緑）Ｂ（青）の小さな発光素子を多数備えており、適当な制御を行うことで、赤色、緑色、青色、黄色、白色などの任意の光を放出することができるものとされている。なお、ＬＥＤ１１４、１２４は、電源を外部から取るための図示せぬケーブルと、それが発光する、しないを制御する信号、及びそれが発光する場合に放出する光の色を制御するための信号を外部から受取るための図示せぬケーブルと接続されている。
【００１３】
上支持体１１０の内円板１１３と、下支持体１２０の内円板１２３は、伸縮管１３０によって接続されている（より詳細には、内円板１２３は、固定用円板１２３Ａを介して伸縮管１３０の下端と接続されている。）。伸縮管１３０は、テレスコピック構造の管であり、伸縮可能となっている。より詳細には、伸縮管１３０は、下に向かって細くなるようなテーパーの与えられた中空な管であり上の管ほど太くなっているものを複数接続して構成されている。伸縮管１３０は一定の堅さがあり、形状可変オブジェ１００の使用時における上支持体１１０と下支持体１２０の位置関係が鉛直方向となるようにする。
なお、伸縮管１３０の上側の孔は、上側の内円板１１３の孔１１３Ａの内側に臨むようにされている。
【００１４】
上側の外円板１１１の下側には、モータ１１５Ａと、ドラム１１５Ｂとを含んで構成されるウインチ１１５が取付けられている。ウインチ１１５は、この実施形態ではワイヤである線状体１１５Ｃを巻き取り、或いは巻き解くことができるようになっている。線状体１１５Ｃは、その基端がドラム１１５Ｂに巻き付けられており、モータ１１５Ａを駆動させてドラム１１５Ｂを回転させることにより、ドラム１１５Ｂが線状体１１５Ｃを巻き取り、或いは巻き解くようになっている。
線状体１１５Ｃは、伸縮管１３０の内部（この実施形態では、伸縮管１３０の中心）を通るようにされており、その先端が固定用円板１２３Ａの中心に固定されている。ドラム１１５Ｂは、線状体１１５Ｃが伸縮管１３０の内部の中心を通るような位置に設けられている。
モータ１１５Ａを駆動させ線状体１１５Ｃをドラム１１５Ｂで巻き取ると、固定用円板１２３Ａを介して線状体１１５Ｃの先端に固定された下支持体１２０は、伸縮管１３０を縮めながら上支持体１１０に対して相対的に近づく。即ち、形状可変オブジェ１００が吊下げ状態で使用されているのであれば、下支持体１２０が上支持体１１０に向かって近づき、形状可変オブジェ１００が床置き状態で使用されているのであれば、下支持体１２０に向かって上支持体１１０が近づく。
なお、モータ１１５Ａは、図示せぬ電源を外部から取るための図示せぬケーブルと、その駆動の制御のための信号を外部から受取るための図示せぬケーブルに接続されている。
【００１５】
外円板１１１、１２１の外側には、ヒンジ接続部１４０が設けられている。このヒンジ接続部１４０は、外円板１１１、１２１の外周に沿って、この実施形態では等間隔で１６個設けられている。
ヒンジ接続部１４０は、棒状体である骨材１５０と接続されている。骨材１５０は、その端部近辺では、その厚さ（図１、図２の紙面に垂直な方向）がその中心よりの部分よりも薄く、且つその幅（図１、図２の紙面上で骨材１５０の長さ方向に垂直な方向）がその中心よりの部分よりも大きくなるようにされている。その部分を、ヒンジ接続部１４０に設けられたピンに貫通して固定されることで、各骨材１５０の両端部は、ヒンジ接続部１４０に対して、図１、図２に示した位置関係になれるように回動できるようになっている。
骨材１５０は、外側に向かって膨らむように湾曲している。骨材１５０は一定の柔軟性を持っており、その外側に向かう湾曲の度合いは、上支持体１１０と下支持体１２０の相対的な距離の変化に伴って変化するようにされている。つまり、上支持体１１０と下支持体１２０の距離が近づくほど、骨材１５０の湾曲の度合いと、骨材１５０の中心部分の伸縮管１３０からの距離が大きくなるようにされている。
なお、骨材１５０の素材は、この実施形態では金属でできている。骨材１５０は、より詳細には、その中央に近い部分のバネ性が、その両端部に近い部分のバネ性よりも弱くなるようにされている。これは、上支持体１１０と下支持体１２０が近づいたときに、骨材１５０の中央に近い部分がその両端の部分よりもより大きく曲がるようにするとともに、骨材１５０の湾曲が大きくなった場合における骨材１５０が直線に戻ろうとする力を小さくするためである。これにより、この形状可変オブジェ１００は、上支持体１１０と下支持体１２０が近づいたときに、横長の扁平な形状を取り易くなっている。また、中央に近い部分のバネ性が、その両端部に近い部分のバネ性よりも弱くなるようにされていることにより、骨材１５０は、上支持体１１０と下支持体１２０の距離を近づけ、遠ざけることを繰り返したとしても、その変形による疲労によって損傷するおそれが小さい。
上支持体１１０と下支持体１２０が近づいたときに、横長の扁平な形状を取り易くなっており、また、繰り返しの変形による損傷のおそれが小さいという効果は、例えば以下のような骨材１５０を用いることによっても得ることができる。この場合の骨材１５０は、例えばニッケルとチタンの合金である形状記憶合金によって形成される。この骨材１５０の素材である形状記憶合金は、変形されたものがそれ以上の温度になった場合に元の形状に戻ろうとする温度である変態温度（作動温度）が通常の室温よりも低く（例えば、０℃近辺）に設定されている。また、骨材１５０が変態温度以上になったときに戻ろうとする元の形状は、直線状の形状とされており、これにより骨材１５０には常に、直線状の形状に戻ろうとする力、つまり図２で示された状態から図１で示された状態に戻ろうとする力がはたらいている。ここで、形状記憶合金は、元の形状から一定以上変形した場合には与える力を大きくしなくても更に変形させられるという特性がある。したがって、図１に示した形状と図２に示した形状のうちの図１よりの形状を、それを超えて変形させる場合に骨材１５０に与える力を大きくしなくてもよい形状としておけば、図１に示した形状から図２に示した形状に骨材１５０を変形させるときに骨材１５０に与える力をそれほど大きくする必要がなくなるので、この形状可変オブジェ１００は、上支持体１１０と下支持体１２０が近づいたときに、横長の扁平な形状を取り易くなる。また、一般的に、形状記憶合金は、変形を行わせやすくその場合の疲労が小さいという特性を有する。それゆえ、この骨材１５０は、繰り返しの変形による損傷のおそれが小さい。
【００１６】
骨材１５０の外面には、膜材１６０が張られている。この膜材１６０は、骨材１５０の外側の全面を覆っている。膜材１６０は一枚ものでもよいし、隣接する骨材１５０の間を覆うような形状のものを１６枚用いたものでもよい。この実施形態における膜材１６０は、後者のように構成されている。
膜材１６０の素材には特に制限はない。上述したＬＥＤ１１４、１２４からの光を外部から膜材１６０を透かして視認できるようなものであればよい。膜材１６０は、骨材１５０の変形に追随できる程度のしなやかさが必要であり、この実施形態では、多少の伸縮を許容するものとなっている。膜材１６０は、この実施形態では、ポリエステルの糸にポリウレタンをコートするなどして作られた伸縮性を有する糸で織った織物とされている。なお、膜材１６０を織物とした場合には、膜材１６０が伸びた場合に、部分的に他よりも織物の目の広い部分が生じる場合がある。このような場合には、膜材１６０の内側にあるＬＥＤ１１４、１２４からの光がその目の部分から強く出てくることになるので、形状可変オブジェ１００を外から見る者にしてみれば、膜材１６０から外に出てくる光にムラができることになる。そのようなことを防ぐため、この実施形態における膜材１６０は、少なくともその一方の面（この実施形態では、膜材１６０の外面）の全体を、ウレタン樹脂で薄くコーティングしている。
なお、膜材１６０によって仕切られた空間は、膜材１６０の外部の空間と、外円板１１１、１２１の孔１１１Ａ、１２１Ａを介して連通させられている。
膜材１６０が骨材１５０に張られた状態を図４の平面図で示す。
【００１７】
ＬＥＤ１１４、１２４と接続されたケーブルのうち、ＬＥＤ１１４、１２４が発光する、しないを制御する信号、及びＬＥＤ１１４、１２４が発光する場合に放出する光の色を制御するための信号をＬＥＤ１１４、１２４が外部から受取るための図示せぬケーブル（以下、これをＬＥＤケーブル２０１と呼ぶ。）は、制御装置に接続されている。モータ１１５Ａに接続されたケーブルのうち、モータ１１５Ａ駆動の制御のための信号をモータ１１５Ａが外部から受取るためのケーブル（以下、これをモータケーブル２０２と呼ぶ。）も同様に、制御装置に接続されている。
【００１８】
図５に制御装置２００（図７に図示）のハードウェア構成を示す。この実施形態における制御装置２００は、一般的なパーソナルコンピュータによって構成されている。
制御装置２００は、ＣＰＵ（Central Processing Unit）２１１、ＲＯＭ（Read Only Memory）２１２、ＲＡＭ（Random Access Memory）２１３、インタフェイス２１４、及びこれらを接続するバス２１５を備えている。
ＣＰＵ２１１は、所定のプログラムを実行することで、所定の処理を実行するものである。
ＲＯＭ２２は、ＬＥＤ１１４、１２４やモータ１１５Ａに信号を送るための処理をＣＰＵ２１１に実行させるためのプログラムやデータを記憶している。
ＲＡＭ２１３は、ＣＰＵ２１１がデータ処理を行うためのワーク領域を提供する。
インタフェイス２１４は、この制御装置２００の入出力用の窓口として機能する。インタフェイス２１４は、接続用の図示せぬコネクタを備えている。このコネクタに上述のＬＥＤケーブル２０１、モータケーブル２０２が接続される。また、インタフェイス２１４は、例えばキーボードやマウスによって構成される入力装置２２１、及び例えば液晶ディスプレイ装置によって構成されるディスプレイ装置２２２と接続されている。入力装置２２１は、ＬＥＤ１１４、１２４やモータ１１５Ａに信号を送るための処理をＣＰＵ２１１に実行させるにあたって必要な指示を入力するためのものであり、ディスプレイ装置２２２は、所定の画像（例えば、上述の指示の入力の際の支援を行うための画像、その入力の内容を確認するための画像など）を表示するためのものである。インタフェイス２１４は、入力装置２２１から上述の指示についての情報を受取り、上述の画像を表示するための情報をディスプレイ装置２２２に送るようになっている。
【００１９】
ＣＰＵ２１１が、ＲＯＭ２１２に記録されていたプログラムを実行することで、制御装置２００内に図６に示されるような機能ブロックが生成される。
機能ブロックは、入力管理部２３１、制御部２３２、出力管理部２３３を含んでいる。
【００２０】
入力管理部２３１は、インタフェイス２１４を介してＣＰＵ２１１に対して行われる入力装置２２１からの入力を受付けるものである。入力管理部２３１は、入力装置２２１から、ＬＥＤ１１４、１２４が発光する、しないを制御するための指示、ＬＥＤ１１４、１２４が発光する場合に放出する光の色を制御するための指示、モータ１１５Ａ駆動を制御するための指示を受付ける。入力管理部２３１は、これら指示を制御部２３２へ送るようにされている。
【００２１】
制御部２３２は、この形状可変オブジェ１００全体の制御を行うものである。制御部２３２は、ＬＥＤ１１４、１２４を発光させる、させないの制御、ＬＥＤ１１４、１２４が発光する場合における当該ＬＥＤ１１４、１２４が放出する光の色の制御、モータ１１５Ａの駆動の制御を行うとともに、ディスプレイ装置２２２に表示される画像の制御を行うものとなっている。
【００２２】
制御部２３２には、ＬＥＤ制御部２３２Ａ、モータ制御部２３２Ｂ、及びディスプレイ制御部２３２Ｃが含まれている。
ＬＥＤ制御部２３２Ａは、入力管理部２３１を介して入力装置２２１から入力された上述の指示に基づいて、ＬＥＤ１１４、１２４を発光させるか否か、またＬＥＤ１１４、１２４を発光させるのであればどのような色を放出させるかということについての信号を生成するものである。
モータ制御部２３２Ｂは、入力管理部２３１を介して入力装置２２１から入力された上述の指示に基づいて、モータ１１５Ａを駆動させるための信号を生成するものである。
ディスプレイ制御部２３２Ｃは、ディスプレイ装置２２２を制御するための信号を生成するものである。この信号には、ディスプレイ装置２２２に表示される画像についての画像データが含まれる。
ＬＥＤ制御部２３２Ａが生成した上述の信号、モータ制御部２３２Ｂが生成した上述の信号、及びディスプレイ制御部２３２Ｃが生成した上述の信号はともに、出力管理部２３３に送られるようになっている。
【００２３】
出力管理部２３３は、インタフェイス２１４を介してＬＥＤケーブル２０１及びモータケーブル２０２に対して行われる信号の出力、及びディスプレイ装置２２２に対して行われる信号の出力を制御するものである。
出力管理部２３３は、ＬＥＤ制御部２３２Ａから受取ったＬＥＤ１１４、１２４を発光させるか否か、またＬＥＤ１１４、１２４を発光させるのであればどのような色を放出させるかということについての上記信号を、ＬＥＤケーブル２０１を介してＬＥＤ１１４、２１４に送るようになっている。また、出力管理部２３３は、モータ制御部２３２Ｂから受取ったモータ１１５Ａを制御するための上記信号をモータケーブル２０２を介してモータ１１５Ａに送るようになっている。また、出力管理部２３３は、ディスプレイ制御部２３２Ｃから受取ったディスプレイ装置２２２を制御するための上記信号をディスプレイ装置２２２に送るようになっている。
ＬＥＤ１１４、１２４を発光させるか否か、またＬＥＤ１１４、１２４を発光させるのであればどのような色を放出させるかということについての信号を出力管理部２３３からから受付けたＬＥＤ１１４、１２４は、その信号で指示された色の光を放出しながら発光し、或いは発光をやめる。モータ１１５Ａを制御するための上記信号をモータ制御部２３２Ｂから受取ったモータ１１５Ａは、線状体１１５Ｃを巻き取るように、或いは巻き解くように駆動し、或いはその駆動をやめる。ディスプレイ装置２２２を制御するための上記信号をディスプレイ制御部２３２Ｃから受取ったディスプレイ装置２２２は、その画面に所定の画像を表示する。
【００２４】
この形状可変オブジェ１００は、以下のようにして用いられる。
この形状可変オブジェ１００は、必ずしもそうする必要はないが、図７に示したようにして、天井３１０から吊下げた状態で使用する。天井３１０からの吊下げはどのようにして行ってもよいが、この実施形態では、天井から垂らしたワイヤなどの線状体３２０の先端と上側の外円板１１１とを接続することで、かかる吊下げを実現している。線状体３２０と外円板１１１との接続はどのようにして行ってもよい。この実施形態では、外円板１１１の上面に、三本に分岐された線状体３２０の先端にそれぞれ設けた図示せぬループを係止するための図示せぬフックを設けてあり、そのフックに線状体３２０のループを係止することで、線状体３２０と外円板１１１の固定を行っている。
【００２５】
この状態で、形状可変オブジェ１００の管理者は、制御装置２００の入力装置２２１を操作する。このとき、ディスプレイ装置２２２には、ディスプレイ制御部２３２Ｃが生成し、出力管理部２３３を介して受付けた信号によって生成された画像が表示される。管理者は、この画像を見ながら、入力装置２２１の操作を行うことができる。
【００２６】
例えば、操作者は、入力装置２２１を操作することによって、ＬＥＤ１１４、１２４が発光する、しないを制御するための指示、ＬＥＤ１１４、１２４が発光する場合に放出する光の色を制御するための指示を入力することができる。この指示を、入力管理部２３１を介して受付けた制御部２３２内のＬＥＤ制御部２３２Ａは、受付けた上述の指示に基づいて、ＬＥＤ１１４、１２４を発光させるか否か、またＬＥＤ１１４、１２４を発光させるのであればどのような色を放出させるかということについての信号を生成する。この信号は、出力管理部２３３、及びＬＥＤケーブル２０１を介して、形状可変オブジェ１００のＬＥＤ１１４、１２４に送られる。これを受付けたＬＥＤ１１４、１２４は、その信号に基づいて、その信号に指定された色で発光し、或いはその発光をやめる。
【００２７】
操作者は、また、入力装置２２１を操作することによって、モータ１１５Ａを制御するための指示を入力することができる。この指示を、入力管理部２３１を介して受付けた制御部２３２内のモータ制御部２３２Ｂは、受付けた上述の指示に基づいて、モータ１１５Ａをどのように駆動させるかということについての信号を生成する。この信号は、出力管理部２３３、及びモータケーブル２０２を介して、形状可変オブジェ１００のモータ１１５Ａに送られる。これを受付けたモータ１１５Ａは、その信号に基づいて、駆動することになる。
モータ１１５Ａが受取った信号が、線状体１１５Ｃをドラム１１５Ｂが巻き取るようにモータ１１５Ａを駆動させるようなものであった場合には、モータ１１５Ａの駆動により、ドラム１１５Ｂが線状体１１５Ｃを巻き取る。この場合には、下支持体１２０が上支持体１１０に近づく。このとき、形状可変オブジェ１００は、元の状態から、図２に示した状態に近づくことになる。
モータ１１５Ａが受取った信号が、線状体１１５Ｃをドラム１１５Ｂから巻き解くようにモータ１１５Ａを駆動させるようなものであった場合には、モータ１１５Ａの駆動により、ドラム１１５Ｂが線状体１１５Ｃを巻き解く。この場合には、下支持体１２０が上支持体１１０から離れる。このとき、形状可変オブジェ１００は、元の状態から、図１に示した状態に近づくことになる。
適当にモータ１１５Ａを駆動することにより、この実施形態における形状可変オブジェ１００は、図１に示した状態、図２に示した状態、及び図１と図２に示された状態の間の任意の状態を取りうる。
【図面の簡単な説明】
【００２８】
【図１】本実施形態の形状可変オブジェを示す側断面図。
【図２】図１に示した形状可変オブジェの他の状態を示す側断面図。
【図３】図１に示した形状可変オブジェの上支持体の構成を示す平面図。
【図４】図２に示した状態の形状可変オブジェの平面図。
【図５】図１に示した形状可変オブジェが備える制御装置のハードウェア構成を示す図。
【図６】図１に示した形状可変オブジェ内に生成される機能ブロックを概念的に示す図。
【図７】図１に示した形状可変オブジェの使用状態を示す側面図。
【符号の説明】
【００２９】
１００  形状可変オブジェ
１１０  上支持体
１１１  外円板
１１２  接続板
１１３  内円板
１１４  ＬＥＤ
１１５  ウインチ
１１５Ｂ  ドラム
１１５Ａ  モータ
１１５Ｃ  線状体
１２０  下支持体
１２１  外円板
１２２  接続板
１２３  内円板
１２４  ＬＥＤ
１３０  伸縮管
１４０  ヒンジ接続部
１５０  骨材
１６０  膜材
２００  制御装置
【図１】
2006051665.tif 000003
【図２】
2006051665.tif 000004
【図３】
2006051665.tif 000005
【図４】
2006051665.tif 000006
【図５】
2006051665.tif 000007
【図６】
2006051665.tif 000008
【図７】
2006051665.tif 000009